(57)【要約】【課題】  バンドに加わる外力に対し十分な取付強度を確保できる腕装着装置を提供する。【解決手段】  バンド取付部８の端部両側に対応する腕時計ケース１の裏面に、一対の突起部１０ａ、１１ａおよび１０ｂ、１１ｂを所定間隔離して設け、時計バンド２、３の各先端部１６に、一対の突起部１０ａ、１１ａ間または１０ｂ、１１ｂ間に係合して時計バンド２、３の長手方向への抜け出しを阻止する係合突出部２２をそれぞれ設けた。従って、腕時計ケース１の各バンド取付部８に時計バンド２、３をばね棒によって取り付けた状態で、時計バンド２、３に上下方向、ねじれ方向、引き抜き方向の外力が加わっても、ばね棒に加わる外力を、時計バンド２、３の係合突出部２２によって受け止めて軽減することができ、これにより時計バンド２、３の取付強度を十分に確保できる。【選択図】        図３
2007090046.tif 000002
【特許請求の範囲】
【請求項１】
本体ケースと、この本体ケースを腕に取り付けるためのバンドとを備え、前記本体ケースの両側に設けられたバンド取付部に前記バンドの先端部を取付棒によって取り付けた腕装着装置において、
前記バンド取付部の端部両側に対応する前記本体ケースの裏面には、前記腕に当接する少なくとも一対の突起部が所定間隔離れて設けられ、
前記バンドの前記先端部には、前記一対の突起部間に係合して前記バンドの長手方向への抜け出しを阻止する係合突出部が設けられていることを特徴とする腕装着装置。
【請求項２】
前記一対の突起部は、前記本体ケースの両側に設けられた前記バンド取付部の各端部の両側にそれぞれ対応して設けられていることを特徴とする請求項１に記載の腕装着装置。
【請求項３】
前記一対の突起部は、前記本体ケースよりも軟らかい合成樹脂によって前記本体ケースと別に形成されていることを特徴とする請求項１または２に記載の腕装着装置。
【請求項４】
前記本体ケースの両側に設けられた前記バンド取付部の各端部の両側にそれぞれ対応する前記一対の突起部は、前記本体ケースの両側に位置する前記バンド取付部同士の突起部が連結部によって連結されていることを特徴とする請求項３に記載の腕装着装置。
【請求項５】
前記本体ケースの両側に設けられた前記バンド取付部の各端部の両側にそれぞれ対応する前記一対の突起部は、その全てが連結部によって連結されていることを特徴とする請求項３に記載の腕装着装置。
【請求項６】
前記バンドは、バンド本体部と、このバンド本体部における前記係合突出部を含む前記先端部との材質が異なり、前記バンド本体部が軟質の合成樹脂で形成され、このバンド本体部の前記先端部が前記バンド本体部よりも硬い合成樹脂で形成されていることを特徴とする請求項１〜５のいずれかに記載の腕装着装置。
【請求項７】
前記バンド取付部の内側上面には嵌合凹部が設けられ、前記バンドの前記先端部には、前記バンド取付部の前記嵌合凹部に嵌合する嵌合凸部が設けられていることを特徴とする請求項１〜６のいずれかに記載の腕装着装置。
【請求項８】
両側にバンド取付部が設けられた本体ケースと、この本体ケースの裏面に配置される裏蓋と、前記本体ケースの前記バンド取付部にそれぞれ配置されて前記本体ケースを腕に取り付けるためのバンドとを備えた腕装着装置において、
前記バンド取付部に配置される前記バンドの端部には、前記裏蓋の裏面に延びる延出部が設けられ、この延出部が前記裏蓋を挟んで前記本体ケースにねじ部材によって取り付けられていることを特徴とする腕装着装置。
【請求項９】
前記延出部の両側には、前記裏蓋の裏側に向けて突出すると共に前記ねじ部材が挿入するねじ挿入孔が設けられた一対の突起部が、所定間隔離れて設けられていることを特徴とする請求項８に記載の腕装着装置。
【請求項１０】
前記一対の突起部には、前記ねじ部材の頭部が挿入する座ぐり部が、前記ねじ挿入孔に対応してそれぞれ設けられていることを特徴とする請求項８または９に記載の腕装着装置。
【請求項１１】
前記バンドは軟質の合成樹脂で形成されていることを特徴とする請求項８〜１０のいずれかに記載の腕装着装置。
【発明の詳細な説明】
【技術分野】
【０００１】
この発明は、腕に装着して使用する腕時計などの腕装着装置に関する。
【背景技術】
【０００２】
従来、腕時計においては、軽量化および低価格化を図るため、特許文献１に記載されているように、硬質の合成樹脂からなる腕時計ケースと、軟質の合成樹脂からなる時計バンドとを備え、腕時計ケースのバンド取付凹部に時計バンドの先端部を嵌め込んで取り付ける際に、時計バンドの先端部に設けられた挿入孔にばね棒を挿入し、このばね棒の両端部を腕時計ケースのバンド取付凹部内の両側部に設けられた各取付穴に挿入させることにより、腕時計ケースのバンド取付凹部に時計バンドをばね棒によって取り付けている。
【特許文献１】実開昭５５−１５７４１７号（実公昭６３−１２７２９号）
【０００３】
このような腕時計は、外部からの衝撃などによって時計バンドに取り付けられたばね棒の両端部が腕時計ケースのバンド取付凹部内の両側部に設けられた各取付穴から外れないように、時計バンドの先端部に、バンド取付凹部の内側上面に当接する当接凸部を設けると共に、この当接凸部の下部側に腕時計ケースの裏面に係止される係止凸部を設けた構成になっている。従って、この腕時計では、腕時計ケースのバンド取付凹部に時計バンドの先端部をばね棒によって取り付ける際に、時計バンドの先端部に設けられた当接凸部がバンド取付凹部の内側上面に当接すると共に、この当接凸部の下部側の係止凸部が腕時計ケースの裏面に係止されて弾接することにより、外部からの衝撃を受け止めて、ばね棒の両端部がバンド取付凹部の各取付穴から外れないようになっている。
【発明の開示】
【発明が解決しようとする課題】
【０００４】
しかしながら、このような従来の腕時計では、時計バンドの先端部に設けられた当接凸部がバンド取付凹部の内側上面に当接すると共に、この当接凸部の下部側の係止凸部が腕時計ケースの裏面に係止されて弾接しているので、時計バンドに上下方向およびねじれ方向の外力が加わっても、時計バンドの先端部に設けられた当接凸部と係止凸部とによって、ばね棒の両端部に加わる外力を軽減することはできても、時計バンドの先端部をバンド取付凹部から時計バンドの長手方向に沿って引き抜く方向の外力が加わると、その外力がばね棒の両端部に直接加わり、ばね棒の両端部がバンド取付凹部の取付穴から外れる虞があり、このためばね棒による時計バンドの取付強度を十分に確保することができないという問題がある。
【０００５】
この発明が解決しようとする課題は、バンドに加わる外力に対して十分な取付強度を確保することができる腕装着装置を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図１７に示すように、本体ケース（腕時計ケース１または３０）と、この本体ケースを腕に取り付けるためのバンド（時計バンド２、３または３１、３２）とを備え、前記本体ケースの両側に設けられたバンド取付部（８または３３）に前記バンドの先端部（１６、３７、４０）を取付棒（ばね棒１９）によって取り付けた腕装着装置において、
前記バンド取付部の端部両側に対応する前記本体ケースの裏面には、前記腕に当接する少なくとも一対の突起部（１０ａ、１１ａおよび１０ｂ、１１ｂ、または３４ａ、３５ａおよび３４ｂ、３５ｂ）が所定間隔離れて設けられ、前記バンドの前記先端部には、前記一対の突起部間に係合して前記バンドの長手方向への抜け出しを阻止する係合突出部（２２または３８）が設けられていることを特徴とする腕装着装置である。
【０００８】
請求項２に記載の発明は、図１〜図１６に示すように、前記一対の突起部（１０ａ、１１ａおよび１０ｂ、１１ｂ、または３４ａ、３５ａおよび３４ｂ、３５ｂ）が、前記本体ケース（腕時計ケース１または３０）の両側に設けられた前記バンド取付部（８または３３）の各端部の両側にそれぞれ対応して設けられていることを特徴とする請求項１に記載の腕装着装置である。
【０００９】
請求項３に記載の発明は、図１〜図１６に示すように、前記一対の突起部（１０ａ、１１ａおよび１０ｂ、１１ｂ、または３４ａ、３５ａおよび３４ｂ、３５ｂ）が、前記本体ケース（腕時計ケース１または３０）よりも軟らかい合成樹脂によって前記本体ケースと別に形成されていることを特徴とする請求項１または２に記載の腕装着装置である。
【００１０】
請求項４に記載の発明は、図１〜図１０、および図１２〜図１６に示すように、前記本体ケース（腕時計ケース１または３０）の両側に設けられた前記バンド取付部（８または３３）の各端部の両側にそれぞれ対応する前記一対の突起部（１０ａ、１１ａおよび１０ｂ、１１ｂ、または３４ａ、３５ａおよび３４ｂ、３５ｂ）のうち、前記本体ケースの両側に位置する前記バンド取付部同士の突起部が連結部（１２、１３）によって連結されていることを特徴とする請求項３に記載の腕装着装置である。
【００１１】
請求項５に記載の発明は、図１１に示すように、前記本体ケース（腕時計ケース１または３０）の両側に設けられた前記バンド取付部（８または３３）の各端部の両側にそれぞれ対応する前記一対の突起部（１０ａ、１１ａ、１０ｂ、１１ｂ、または３４ａ、３５ａ、３４ｂ、３５ｂ）の全てが、連結部（２５）によって連結されていることを特徴とする請求項３に記載の腕装着装置である。
【００１２】
請求項６に記載の発明は、図１〜図１７に示すように、前記バンド（時計バンド２、３または３１、３２）は、バンド本体部（１５または３６）と、このバンド本体部における前記係合突出部（２２または３８）を含む前記先端部（１６、３７、４０）との材質が異なり、前記バンド本体部が軟質の合成樹脂で形成され、このバンド本体部の前記先端部が前記バンド本体部よりも硬い合成樹脂で形成されていることを特徴とする請求項１〜５のいずれかに記載の腕装着装置である。
【００１３】
請求項７に記載の発明は、図１〜図１７に示すように、前記バンド取付部（８または３３）の内側上面に嵌合凹部（２１）が設けられ、前記バンド（時計バンド２、３または３１、３２）の前記先端部（１６、３７、４０）に、前記バンド取付部の前記嵌合凹部に嵌合する嵌合凸部（２３）が設けられていることを特徴とする請求項１〜６のいずれかに記載の腕装着装置である。
【００１４】
請求項８に記載の発明は、図１８〜図２０に示すように、両側にバンド取付部（８）が設けられた本体ケース（腕時計ケース５０）と、この本体ケースの裏面に配置される裏蓋（６）と、前記本体ケースの前記バンド取付部にそれぞれ配置されて前記本体ケースを腕に取り付けるためのバンド（時計バンド５１）とを備えた腕装着装置において、
前記バンド取付部に配置される前記バンドの端部（先端部５３）には、前記裏蓋の裏面に延びる延出部（５４）が設けられ、この延出部が前記裏蓋を挟んで前記本体ケースにねじ部材（ビス１４）によって取り付けられていることを特徴とする腕装着装置である。
【００１５】
請求項９に記載の発明は、図１８〜図２０に示すように、前記延出部（５４）の両側に、前記裏蓋（６）の裏側に向けて突出すると共に前記ねじ部材（ビス１４）が挿入するねじ挿入孔（ビス挿入孔５６）が設けられた一対の突起部（５５）が、所定間隔離れて設けられていることを特徴とする請求項８に記載の腕装着装置である。
【００１６】
請求項１０に記載の発明は、図１８〜図２０に示すように、前記一対の突起部（５５）に、前記ねじ部材（ビス１４）の頭部（１４ａ）が挿入する座ぐり部（５７）が、前記ねじ挿入孔（ビス挿入孔５６）に対応してそれぞれ設けられていることを特徴とする請求項８または９に記載の腕装着装置である。
【００１７】
請求項１１に記載の発明は、図１８〜図２０に示すように、前記バンド（時計バンド５１）が軟質の合成樹脂で形成されていることを特徴とする請求項８〜１０のいずれかに記載の腕装着装置である。
【発明の効果】
【００１８】
請求項１に記載の発明によれば、本体ケースの両側に設けられたバンド取付部にバンドの先端部を取付棒によって取り付けた腕装着装置において、バンド取付部の端部両側に対応する本体ケースの裏面に、少なくとも一対の突起部が所定間隔離れて設けられ、バンド取付部に取り付けられるバンドの先端部に、一対の突起部間に係合してバンドの長手方向への抜け出しを阻止する係合突出部が設けられているので、本体ケースのバンド取付部にバンドの先端部を取付棒によって取り付けたときに、バンドの先端部に設けられた係合突出部が本体ケースの裏面に設けられた一対の突起部間に係合してバンドの長手方向への抜け出しを阻止する。
【００１９】
このため、この状態でバンドに上下方向およびねじれ方向の外力が加わっても、取付棒に加わる外力を、一対の突起部間に係合したバンドの係合突出部によって受け止めて軽減することができると共に、バンドの先端部をバンド取付部からバンドの長手方向に沿って引き抜く方向の外力が加わっても、その外力が取付棒に直接加わらず、一対の突起部間に係合したバンドの係合突出部によって、その外力を受け止めることができるので、取付棒によるバンドの取付強度を十分に確保することができる。
【００２０】
請求項２に記載の発明によれば、一対の突起部が本体ケースの両側に設けられたバンド取付部の各端部の両側にそれぞれ対応して設けられていることにより、本体ケースをバンドによって腕に取り付けたときに、バンド取付部の各端部の両側に対応する各一対の突起部が腕に当接し、これにより本体ケースの裏面と腕の表面との間に、バンドの長手方向と直交する方向に沿って本体ケースの一端部から他端部に連続する隙間が生じるので、この隙間によって本体ケースの裏面と腕の表面との間の通気性を確保することができる。
【００２１】
請求項３に記載の発明によれば、一対の突起部が本体ケースよりも軟らかい合成樹脂によって本体ケースと別に形成されていることにより、本体ケースを硬質の合成樹脂で形成しても、本体ケースを腕に取り付けたときに、一対の突起部が腕に軟らかく当接するので、腕に対する装着性が良く、良好に本体ケースを腕に取り付けてフィットさせることができる。
【００２２】
請求項４に記載の発明によれば、本体ケースの両側に設けられたバンド取付部の各端部の両側にそれぞれ対応する一対の突起部のうち、本体ケースの両側に位置するバンド取付部同士の突起部が連結部によって連結されていることにより、本体ケースの両側のバンド取付部における各端部の両側にそれぞれ対応する一対の突起部が存在していても、突起部としての部品点数の増大を抑えることができると共に、各突起部をそれぞれ個別に本体ケースに取り付ける必要がなく、２つの突起部を同時に本体ケースに取り付けることができ、これにより組み付け作業の簡素化を図ることができる。
【００２３】
請求項５に記載の発明によれば、本体ケースの両側に設けられたバンド取付部の各端部の両側にそれぞれ対応する一対の突起部の全てが、連結部によって連結されていることにより、請求項４に記載の発明よりも、更に突起部としての部品点数を削減することができると共に、全ての突起部を一度に本体ケースに取り付けることができるので、より一層、組み付け作業の簡素化を図り、生産性の向上を図ることができる。
【００２４】
請求項６に記載の発明によれば、バンドのバンド本体部が軟質の合成樹脂で形成されていることにより、腕に対するバンド本体部のフィット性が良く、またこのバンド本体部における係合突出部を含む先端部がバンド本体部よりも硬い合成樹脂で形成されていることにより、本体ケースに対するバンドの先端部の保持力を高めることができ、これによりバンドに上下方向およびねじれ方向の外力、およびバンドの長手方向に沿ってバンドの先端部を引き抜く方向の外力が加わっても、本体ケースとバンドの先端部との間における隙間の開きを最小限に抑えることができる。
【００２５】
請求項７に記載の発明によれば、バンド取付部の内側上面に嵌合凹部が設けられ、バンドの先端部に、バンド取付部の嵌合凹部に嵌合する嵌合凸部が設けられていることにより、バンドに上下方向およびねじれ方向の外力、およびバンドの先端部をバンド取付部からバンドの長手方向に沿って引き抜く方向の外力が加わっても、請求項１に記載の発明と同様、一対の突起部間に係合したバンドの係合突出部によって、取付棒に加わる外力を受け止めて軽減することができるほか、特にバンド取付部の嵌合凹部とバンドの先端部の嵌合凸部との嵌合力によっても、その外力を受け止めて軽減することができるので、より一層、取付棒によるバンドの取付強度を高めることができる。
【００２６】
請求項８に記載の発明によれば、両側にバンド取付部が設けられた本体ケースと、この本体ケースの裏面に配置される裏蓋と、本体ケースのバンド取付部にそれぞれ配置されて本体ケースを腕に取り付けるためのバンドとを備えた腕装着装置において、バンド取付部に配置されるバンドの端部に、裏蓋の裏面に延びる延出部が設けられ、この延出部が本体ケースに裏蓋を挟んでねじ部材によって取り付けられているので、ばね棒などの取付棒を用いずに、バンドを本体ケースのバンド取付部に裏蓋と共に確実に取り付けることができる。このため、バンドおよび裏蓋を本体ケースに取り付ける取付作業の簡素化を図ることができると共に、バンドに上下方向およびねじれ方向のほか、バンドの長手方向に沿って引き抜く方向に外力が加わっても、その外力をねじ部材によって確実に受け止めることができ、これによりバンドの取付強度を十分に確保することができる。
【００２７】
請求項９に記載の発明によれば、延出部の両側に、裏蓋の裏側へ向けて突出すると共にねじ部材が挿入するねじ挿入孔が設けられた一対の突起部が、所定間隔離れて設けられていることにより、この一対の突起部によってねじ部材によるバンドの延出部における取付強度を高めることができると共に、請求項２に記載の発明と同様、本体ケースをバンドによって腕に取り付けたときに、バンドの端部における延出部の両側に設けられた一対の突起部が腕に当接するので、本体ケースの裏面と腕の表面との間に、バンドの長手方向と直交する方向に沿って本体ケースの一端部から他端部に連続する隙間を設けることができ、この隙間によって本体ケースの裏面と腕の表面との間の通気性を確保することができる。
【００２８】
請求項１０に記載の発明によれば、一対の突起部にねじ部材の頭部が挿入する座ぐり部がねじ挿入孔に対応してそれぞれ設けられていることにより、本体ケースにバンドの延出部をねじ部材によって取り付けても、ねじ部材の頭部が突起部の座ぐり部内に挿入するので、ねじ部材の頭部が突起部から突出するのを防ぐことができ、これにより本体ケースをバンドによって腕に取り付けたときに、ねじ部材の頭部が腕に接触することがないので、フィット性が良く、違和感なく良好に本体ケースを腕に取り付けることができる。
【００２９】
請求項１１に記載の発明によれば、バンドが軟質の合成樹脂で形成されていることにより、本体ケースをバンドによって腕に取り付けたときに、腕に対するバンドのフィット性が良いばかりか、延出部に設けられた一対の突起部を本体ケースにねじ部材によって取り付けるので、バンドを軟質の合成樹脂で形成しても、延出部に設けられた一対の突起部によってバンドの取付強度を十分に確保することができる。
【発明を実施するための最良の形態】
【００３０】
（実施形態１）
以下、図１〜図１０を参照して、この発明を腕時計に適用した実施形態１について説明する。
図１はこの発明の腕時計の正面図、図２はその裏面図、図３は図２の要部を分解した斜視図、図４は図１の腕時計ケースを斜め裏面側から見た要部の斜視図、図５は図１のＡ−Ａ矢視における拡大断面図、図６は図２のＢ−Ｂ矢視における拡大断面図、図７は図２のＣ−Ｃ矢視における拡大断面図である。
この腕時計は、図１および図２に示すように、腕時計ケース１と、この腕時計ケース１を腕に取り付けるための時計バンド２、３とを備えている。
【００３１】
腕時計ケース１は、図１〜図７に示すように、硬質の合成樹脂、例えばＡＢＳ樹脂からなり、その上面部に時計ガラス４が取り付けられ、内部に時計モジュール５が収納され、下部に金属製の裏蓋６が防水パッキン６ａを介して取り付けられた構成になっている。この場合、腕時計ケース１は、図１に示すように、９時側（９Ｈ）がほぼ円弧状に突出する横長のほぼ半楕円長方形状に形成されている。また、この腕時計ケース１の３時側（３Ｈ）と９時側（９Ｈ）との各側面部、および１２時側（１２Ｈ）と６時側（６Ｈ）との各上面部には、それぞれ押釦スイッチ７が設けられており、この腕時計ケース１の１２時側と６時側との各側部には、それぞれバンド取付部８が３時側に偏って設けられている。
【００３２】
また、この腕時計ケース１の裏面、つまり裏蓋６の裏面における外周縁、および腕時計ケース１の側面における下部には、図２〜図７に示すように、腕に当接する一対の突起部材１０、１１がバンド取付部８を境にして３時側（３Ｈ）と９時側（図２では右側の９Ｈ）とに沿ってそれぞれ設けられている。これら一対の突起部材１０、１１は、いずれも腕時計ケース１よりも軟らかい合成樹脂、例えばウレタン樹脂で形成されている。そして、これら一対の突起部材１０、１１のうち、３時側の突起部材１０は、図２および図３に示すように、１２時側（１２Ｈ）に位置するバンド取付部８の一端部つまり３時側（）の端部に対応する突起部１０ａと、６時側（６Ｈ）に位置するバンド取付部８の一端部つまり３時側の端部に対応する突起部１０ｂとを備え、これら突起部１０ａ、１０ｂが連結部１２によって連結された構成になっている。
【００３３】
また、９時側の突起部材１１は、図２および図３に示すように、１２時側に位置するバンド取付部８の他端部つまり９時側（図２では右側）の端部に対応する突起部１１ａと、６時側に位置するバンド取付部８の他端部つまり９時側の端部に対応する突起部１１ｂとを備え、これら突起部１１ａ、１１ｂが連結部１３によって連結された構成になっている。そして、これら突起部材１０、１１は、両端部の各突起部１０ａ、１０ｂおよび１１ａ、１１ｂがそれぞれ裏蓋６を取り付けるためのビス１４によって腕時計ケース１の裏面に裏蓋６と共に取り付けられている。
【００３４】
この場合、３時側の突起部材１０は、１２時側のバンド取付部８から３時側を経て６時側のバンド取付部８に亘る腕時計ケース１の側面の下部に沿ってほぼ直線状に形成されている。また、９時側の突起部材１１は、１２時側のバンド取付部８から９時側を経て６時側のバンド取付部８に亘る腕時計ケース１の側面の下部に沿ってほぼ逆Ｃ字状に形成されている。また、各突起部１０ａ、１０ｂ、１１ａ、１１ｂは、それぞれ山形状に突出して形成され、腕時計ケース１の両側に設けられた各バンド取付部８の各端部の両側にそれぞれ対応した状態で、裏蓋６の裏面に配置され、裏蓋６の裏面側に向けて突出し、これにより図５に示すように、腕に当接するように構成されている。
【００３５】
そして、これら突起部１０ａ、１０ｂ、１１ａ、１１ｂのうち、１２時側のバンド取付部８に対応する一対の突起部１０ａ、１１ａは、図２〜図４に示すように、所定間隔離れた状態で、１２時側のバンド取付部８の端部両側に対応して配置されている。この場合、一対の突起部１０ａ、１１ａは、図２および図４に示すように、バンド取付部８が腕時計ケース１の３時側に偏って設けられているため、一対の突起部１０ａ、１１ａの中間部が１２時側のバンド取付部８の中心部に対して９時側に偏った状態で配置されている。
【００３６】
また、６時側のバンド取付部８に対応する一対の突起部１０ｂ、１１ｂも、図２および図９に示すように、所定間隔離れた状態で、６時側のバンド取付部８の端部両側に対応して配置されている。この場合にも、一対の突起部１０ｂ、１１ｂは、図２、図３および図９に示すように、その中間部が６時側のバンド取付部８の中心部に対して９時側に偏った状態で配置されている。
【００３７】
一方、時計バンド２、３のうち、１２時側の時計バンド２は、図１および図２に示すように、腕時計ケース１の１２時側のバンド取付部８に取り付けられており、時計バンド３は、腕時計ケース１の６時側のバンド取付部８に取り付けられている。この場合、両者の時計バンド２、３とも、ほぼ同じ構成であり、以下、１２時側のバンド取付部８に取り付けられる時計バンド２から順に説明する。
【００３８】
この１２時側の時計バンド２は、図５および図８に示すように、バンド本体部１５と、腕時計ケース１のバンド取付部８に取り付けられるバンド本体部１５の先端部１６とが異なる材質で形成されている。すなわち、バンド本体部１５は軟質のウレタン樹脂からなり、このバンド本体部１５の先端部１６はバンド本体部１５よりも硬いウレタン樹脂からなり、この両者がインサート成形または２色成形によって一体に形成されている。この場合、バンド本体部１５は、例えば硬度が８０〜９０度程度の軟らかいウレタン樹脂で形成されており、その先端部１６は、硬度が９７〜１００度程度の硬いウレタン樹脂で形成されている。また、バンド本体部１５の先端側における上面には、装飾部１５ａが先端部１６と同じ硬いウレタン樹脂で形成されている。
【００３９】
この時計バンド２の先端部１６は、図３〜図１０に示すように、腕時計ケース１の１２時側のバンド取付部８内に挿入する取付突起部１７を備え、この取付突起部１７がバンド本体部１５の先端面に設けられ、この取付突起部１７に挿入孔１８がバンド本体部１５の幅方向に貫通して設けられていると共に、この挿入孔１８にばね棒１９が挿入され、このばね棒１９の両端部がバンド取付部８内の両側部に対向して設けられた取付穴２０に挿入することにより、バンド取付部８にばね棒１９によって取り付けられるように構成されている。
【００４０】
この場合、バンド取付部８は、図３に示すように、下面側（図３では上面側）に開放された凹部形状に形成され、その内部における両側部に取付穴２０が互いに対向して設けられていると共に、この内部における上面（図３では下面）に嵌合凹部２１が時計バンド２の幅方向、つまりばね棒１９に沿って設けられた構成になっている。なお、６時側のバンド取付部８も同じ構成になっている。
【００４１】
また、この時計バンド２の先端部１６、つまり取付突起部１７の先端には、図３〜図１０に示すように、１２時側のバンド取付８の端部両側に位置する一対の突起部１０ａ、１１ａ間に係合して時計バンド２の長手方向への抜け出しを阻止する係合突出部２２が設けられている。すなわち、この係合突出部２２は、図２〜図４に示すように、一対の突起部１０ａ、１１ａ間に係合して裏蓋５の裏面に配置された状態で、係合突出部２２の先端側が一対の突起部１０ａ、１１ａに沿って腕時計ケース１の中心側に向けて広がりながら延出するほぼ逆台形状に形成され、この逆台形状の両側辺部が一対の突起部１０ａ、１１ａの内側部に係止されることにより、時計バンド２の長手方向への抜け出しを阻止するように構成されている。
【００４２】
この場合、係合突出部２２は、図２〜図４に示すように、一対の突起部１０ａ、１１ａがバンド取付部８に対して偏心した状態で設けられていることにより、時計バンド２の先端部１６における取付突起部１７の中心から９時側に少しずれた状態で設けられていると共に、一対の突起部１０ａ、１１ａの形状が異なっていることにより、左右の両側辺の各長さがそれぞれ異なるほぼ逆台形に形成されている（図９および図１０参照）。
【００４３】
さらに、時計バンド２の先端部１６、つまり取付突起部１７の上面には、図５に示すように、バンド取付部８の内側上面に設けられた嵌合凹部２１に嵌合する嵌合凸部２３が設けられている。この嵌合凸部２３は、図９および図１０に示すように、ばね棒１９が挿入する挿入孔１８に沿って取付突起部１７の上面に設けられ、時計バンド２の先端部１６に設けられた係合突出部２２を１２時側のバンド取付部８の端部両側に対応する一対の突起部１０ａ、１１ａ間に係合させるときに、図５に示すように、バンド取付部８の嵌合凹部２１に嵌合するように構成されている。
【００４４】
ところで、６時側のバンド取付部８に取り付けられる時計バンド３は、図２および図９に示すように、６時側のバンド取付部８に対応する一対の突起部１０ｂ、１１ｂ間に係合して時計バンド２の長手方向への抜け出しを阻止する係合突出部２２が、時計バンド３の先端部１６の取付突起部１７に設けられ、この係合突出部２２が設けられた先端部１６の形状が、１２時側の時計バンド２の先端部１６に対して点対称に形成されており、これ以外は１２時側の時計バンド２と同じ構成になっている。
【００４５】
次に、この時計バンド２、３のち、１２時側の時計バンド２を腕時計ケース１の１２側のバンド取付部８に取り付ける場合について説明する。
このときには、予め、腕時計ケース１の裏面に突起部材１０、１１をビス１４によって裏蓋５と共に取り付ける。また、時計バンド２の先端部１６に設けられた取付突起部１７の挿入孔１８にばね棒１９を挿入する。この状態で、時計バンド２の先端部１６を腕時計ケース１の１２時側のバンド取付部８に取り付ける。このときには、図３に示すように、時計バンド２の先端部１６に設けられた嵌合凸部２３をバンド取付部８の嵌合凹部２１に嵌め込みながら、ばね棒１９の両端部を押圧し、この状態で時計バンド２の先端部１６をバンド取付部８内に嵌め込む。
【００４６】
これにより、図５に示すように、時計バンド２の先端部１６の嵌合凸部２３がバンド取付部８の嵌合凹部２１に嵌合すると共に、図３に示すばね棒１９の両端部がバンド取付部８の両側部に設けられた取付穴２０内に挿入する。これと同時に、時計バンド２の先端部１６に設けられた係合突出部２２が、図４に示すように、バンド取付部８の端部両側に対応する一対の突起部１０ａ、１１ａ間に係合する。このときには、係合突出部２２がほぼ逆台形状に形成され、この逆台形状の両側辺部が一対の突起部１０ａ、１１ａの内側部に係止されることにより、時計バンド２の長手方向への抜け出しが阻止される。これにより、１２時側の時計バンド２の先端部１６が腕時計ケース１の１２時側のバンド取付部８に取り付けられる。
【００４７】
一方、６時側の時計バンド３を腕時計ケース１の６側のバンド取付部８に取り付ける場合には、図９に示すように、１２時側の時計バンド２と同様、時計バンド３の先端部１６に設けられた嵌合凸部２３を６時側のバンド取付部８の嵌合凹部２１に嵌め込みながら、ばね棒１９の両端部を押圧して、時計バンド３の先端部１６の取付突起部１７をバンド取付部８内に嵌め込む。これにより、時計バンド３の先端部１６の嵌合凸部２３がバンド取付部８の嵌合凹部２１に嵌合し、ばね棒１９の両端部がバンド取付部８の両側部に設けられた取付穴２０内に挿入する。
【００４８】
このときには、図２および図９に示すように、時計バンド３の先端部１６の係合突出部２２が６時側のバンド取付部８の端部両側に対応する一対の突起部１０ｂ、１１ｂ間に係合する。このため、ほぼ逆台形状に形成された係合突出部２２の両側辺部が、一対の突起部１０ｂ、１１ｂの内側部に係止されることにより、時計バンド２の長手方向への抜け出しが阻止される。これにより、６時側の時計バンド３の先端部１６が腕時計ケース１の６時側のバンド取付部８に取り付けられる。
【００４９】
このように、この腕時計によれば、腕時計ケース１の両側に位置するバンド取付部８の各端部の両側に対応する腕時計ケース１の裏面に、一対の突起部１０ａ、１１ａおよび１０ｂ、１１ｂが所定間隔離れた状態でそれぞれ設けられ、両側のバンド取付部８に取り付けられる時計バンド２、３の各先端部１６に、一対の突起部１０ａ、１１ａ間または１０ｂ、１１ｂ間に係合して時計バンド２、３の長手方向への抜け出しを阻止する係合突出部２２がそれぞれ設けられているので、腕時計ケース１の各バンド取付部８に時計バンド２、３の各先端部１６をばね棒１９によってそれぞれ取り付けたときに、時計バンド２、３の各先端部１６に設けられた係合突出部２２が、腕時計ケース１の裏面に設けられた一対の突起部１０ａ、１１ａ間および１０ｂ、１１ｂ間にそれぞれ係合して時計バンド２、３の長手方向への抜け出しを阻止する。
【００５０】
このため、この状態で時計バンド２、３に上下方向およびねじれ方向の外力が加わっても、ばね棒１９の両端部に加わる外力を、一対の突起部１０ａ、１１ａ間および１０ｂ、１１ｂ間にそれぞれ係合する各係合突出部２２によって受け止めて軽減することができると共に、時計バンド２、３の各先端部１６を各バンド取付部８から時計バンド２、３の長手方向に沿って引き抜く方向の外力がそれぞれ時計バンド２、３に加わっても、その外力がばね棒１９の両端部に直接加わらず、一対の突起部１０ａ、１１ａ間または１０ｂ、１１ｂ間に係合した各係合突出部２２によって、その外力を確実に受け止めることができ、これによりばね棒１９による時計バンド２、３の取付強度を十分に確保することができる。
【００５１】
この場合、特に両側のバンド取付部８の内側上面に嵌合凹部２１がそれぞれ設けられ、時計バンド２、３の各先端部１６に、バンド取付部８の嵌合凹部２１に嵌合する嵌合凸部２３がそれぞれ設けられているので、時計バンド２、３に上下方向およびねじれ方向の外力、およびが時計バンド２、３の各先端部１６を各バンド取付部８から時計バンド２、３の長手方向に沿って引き抜く方向の外力が加わると、両側のバンド取付部８の各嵌合凹部２１と時計バンド２、３の各先端部１６の嵌合凸部２３との各嵌合力によっても、その外力を受け止めて軽減することができ、このため、より一層、ばね棒１９による時計バンド２、３の取付強度を高めることができる。
【００５２】
また、この腕時計では、１２時側に位置する一対の突起部１０ａ、１１ａまたは６時側に位置する一対の突起部１０ｂ、１１ｂが、腕時計ケース１の両側に設けられたバンド取付部８の各端部の両側にそれぞれ対応して設けられているので、腕時計ケース１を時計バンド２、３によって腕に取り付けたときに、腕時計ケース１の両側に位置する各一対の突起部１０ａ、１１ａおよび１０ｂ、１１ｂが腕に当接し、これにより図５に示すように、腕時計ケース１の裏面と腕の表面との間に、時計バンド２、３の長手方向と直交する方向に沿って腕時計ケース１の３時側端部と９時側端部とに連続する隙間Ｓが生じる。このため、腕時計ケース１の裏面に腕の表面の一部が接触しても、隙間Ｓによって腕時計ケース１の裏面と腕の表面との間の通気性を確保することができる。
【００５３】
この場合、１２時側に位置する一対の突起部１０ａ、１１ａ、および６時側に位置する一対の突起部１０ｂ、１１ｂは、腕時計ケース１よりも軟らかい合成樹脂、例えばウレタン樹脂によって腕時計ケース１と別に形成されているので、腕時計ケース１を硬質の合成樹脂、例えばＡＢＳ樹脂で形成しても、腕時計ケース１を腕に取り付けたときに、全ての突起部１０ａ、１１ａ、１０ｂ、１１ｂが腕に軟らかく当接するので、腕に対する装着性が良く、良好に腕時計ケース１を腕に取り付けてフィットさせることができる。
【００５４】
また、腕時計ケース１の両側に設けられたバンド取付部８の各端部の両側にそれぞれ対応する各一対の突起部１０ａ、１１ａおよび１０ｂ、１１ｂのうち、腕時計ケース１の両側に位置するバンド取付部８同士の突起部１０ａ、１０ｂまたは１１ａ、１１ｂが、それぞれ連結部１２、１３によってそれぞれ連結されていることにより、両側のバンド取付部８の各端部両側にそれぞれ対応する突起部１０ａ、１１ａ、１０ｂ、１１ｂが存在していても、突起部１０ａ、１０ｂ、１１ａ、１１ｂとしての部品点数の増大を抑えることができると共に、各突起部１０ａ、１１ａ、１０ｂ、１１ｂをそれぞれ個別に腕時計ケース１に取り付ける必要がなく、１２時側に位置する一対の突起部１０ａ、１１ａまたは６時側に位置する一対の突起部１０ｂ、１１ｂを同時に腕時計ケース１に各突起部材１０、１１として取り付けることができ、これにより組み付け作業の簡素化を図ることができる。
【００５５】
さらに、時計バンド２、３は、バンド本体部１５が軟質のウレタン樹脂で形成されていることにより、腕に対するバンド本体部１５のフィット性が良く、またバンド本体部１５における係合突起部２２を含む先端部１６が、バンド本体部１５よりも硬いウレタン樹脂で形成されていることにより、腕時計ケース１に対する時計バンド２、３の各先端部１６の保持力を高めることができる。このため、時計バンド２、３に上下方向およびねじれ方向の外力、および時計バンド２、３の長手方向に沿って各先端部１６を引き抜く方向の外力が加わっても、腕時計ケース１と時計バンド２、３の各先端部１６との間における隙間の開きを最小限に抑えることができる。
【００５６】
なお、上記実施形態１では、両側のバンド取付部８における各端部の両側にそれぞれ対応する各突起部１０ａ、１０ｂ、１１ａ、１１ｂを、両側のバンド取付部８同士ごとに連結部１２、１３でそれぞれ連結して、２つの突起部材１０、１１として構成した場合について述べたが、これに限らず、例えば図１１に示すように、全ての突起部１０ａ、１０ｂ、１１ａ、１１ｂを連結部２５で一体に連結した構成でも良い。このように構成すれば、実施形態１よりも、更に突起部１０ａ、１０ｂ、１１ａ、１１ｂとしての部品点数を削減することができると共に、全ての突起部１０ａ、１０ｂ、１１ａ、１１ｂを一度に腕時計ケース１に取り付けることができるので、より一層、組み付け作業の簡素化を図り、生産性の向上を図ることができる。
【００５７】
（実施形態２）
次に、図１２〜図１６を参照して、この発明を腕時計に適用した実施形態２について説明する。なお、図１〜図１０に示された実施形態１と同一部分には同一符号を付して説明する。
この腕時計は、腕時計ケース３０、時計バンド３１、３２の各先端部３７、および一対の突起部材３４、３５におけるそれぞれの各形状が、実施形態１と異なる構成で、これ以外は実施形態１とほぼ同じ構成になっている。
【００５８】
すなわち、腕時計ケース３０は、全体がほぼ円形状に形成されている。これに伴って、１２時側のバンド取付部３３と６時側のバンド取付部３３とは、それぞれ左右対称で、同じ形状に形成されている。この場合にも、バンド取付部３３は、実施形態１と同様、下面側（図１４では上面側）に開放された凹部形状に形成され、その内部における両側部に取付穴２０が互いに対向して設けられていると共に、この内部における上面（図１４では下面側）に嵌合凹部２１がばね棒１９の挿入孔１８に沿って設けられた構成になっている。
【００５９】
また、腕時計ケース３０の裏面には、実施形態１と同様、腕に当接する一対の突起部材３４、３５が両側のバンド取付部３を境にして３時側と９時側とに沿ってそれぞれ設けられている。これら一対の突起部材３４、３５も、腕時計ケース３０よりも軟らかい合成樹脂、例えばウレタン樹脂で形成されている。そして、これら一対の突起部材３４、３５のうち、３時側の突起部材３４は、図１３および図１４に示すように、１２時側に位置するバンド取付部３３の一端部つまり３時側（図１４では左側）の端部に対応する突起部３４ａと、６時側に位置するバンド取付部３３の一端部つまり３時側の端部に対応する突起部３４ｂとを備え、これら突起部３４ａ、３４ｂが、実施形態１と同様、連結部１２によって連結された構成になっている。
【００６０】
また、９時側の突起部材３５も、３時側の突起部材３４と同様、１２時側に位置するバンド取付部３３の他端部つまり９時側（図１４では右側）の端部に対応する突起部３５ａと、６時側に位置するバンド取付部３３の他端部つまり９時側の端部に対応する突起部３５ｂとを備え、これら突起部３５ａ、３５ｂが、実施形態１と同様、連結部１３によって連結された構成になっている。これにより、各突起部材３４、３５は、それぞれほぼ半円形状で、両者とも同じ形状に形成されていると共に、両端部の各突起部３４ａ、３４ｂおよび３５ａ、３５ｂがそれぞれビス１４によって腕時計ケース３０の裏面に裏蓋６と共に取り付けられている。
【００６１】
この場合にも、各突起部３４ａ、３４ｂ、３５ａ、３５ｂのうち、１２時側のバンド取付部３３に対応する一対の突起部３４ａ、３５ａは、図１３および図１４に示すように、所定間隔離れた状態で、１２時側のバンド取付部３３の端部両側にそれぞれ左右対称に配置されている。また、６時側のバンド取付部３３に対応する一対の突起部３４ｂ、３５ｂも、所定間隔離れた状態で、６時側のバンド取付部３３の端部両側にそれぞれ左右対称に配置されている。これにより、１２時側の一対の突起部３４ａ、３５ａと６時側の一対の突起部３４ｂ、３５ｂとは、両者とも同じ形状で、その各中間部が両側のバンド取付部３３の各中心部と一致している。
【００６２】
一方、時計バンド３１、３２は、実施形態１と同様、バンド本体部３６が軟質のウレタン樹脂で形成され、このバンド本体部３６の先端部３７がバンド本体部３６よりも硬いウレタン樹脂で形成され、インサート成形または２色成形によって一体に形成された構成になっている。この場合、時計バンド３１、３２の各先端部３７は、実施形態１と同様、腕時計ケース３０の各バンド取付部３３内に挿入する取付突起部１７を備え、この取付突起部１７がバンド本体部３６の先端面に設けられ、この取付突起部１７に設けられた挿入孔１８にばね棒１９が挿入されると共に、このばね棒１９の両端部がバンド取付部３３内の両側部に対向して設けられた取付穴２０に挿入することにより、各バンド取付部３３にばね棒１９によってそれぞれ取り付けられるように構成されている。
【００６３】
また、時計バンド３１、３２のうち、１２時側に位置する時計バンド３１の先端部３７、つまり取付突起部１７の先端には、１２時側の一対の突起部３４ａ、３５ａ間に係合して時計バンド３１の長手方向への抜け出しを阻止する係合突出部３８が設けられている。この係合突出部３８も、実施形態１と同様、一対の突起部３４ａ、３５ａ間に係合して裏蓋６の裏面に配置された状態で、係合突出部３８の先端側が一対の突起部３４ａ、３５ａに沿って腕時計ケース３０の中心側に向けて広がりながら延出するほぼ逆台形状に形成されている。
【００６４】
この場合、係合突出部３８は、一対の突起部３４ａ、３５ａがバンド取付部３３の中心に対応して設けられていることにより、その中心部が時計バンド３１の先端部３７における取付突起部１７の中心部と一致して設けられていると共に、一対の突起部３４ａ、３５ａが互いに左右対称で同じ形状であることにより、左右対称のほぼ逆台形に形成されている。これにより、この係合突出部３８は、逆台形状の両側辺部が一対の突起部３４ａ、３５ａの内側部に係止されることにより、時計バンド３１の長手方向への抜け出しを阻止するように構成されている。
【００６５】
一方、６時側に位置する時計バンド３２の先端部３７、つまり各取付突起部１７の先端にも、１２時側の時計バンド３１と同様、６時側の一対の突起部３４ｂ、３５ｂ間に係合して時計バンド３２の長手方向への抜け出しを阻止する係合突出部３８がそれぞれ設けられている。この係合突出部３８も、１２時側の係合突出部３８と同様、一対の突起部３４ｂ、３５ｂ間に係合して裏蓋６の裏面に配置された状態で、各係合突出部３８の先端側が一対の突起部３４ｂ、３５ｂに沿って腕時計ケース３０の中心側に向けて広がりながら延出するほぼ逆台形状に形成されている。
【００６６】
この場合にも、係合突出部３８は、一対の突起部３４ｂ、３５ｂがバンド取付部３３の中心に対応して設けられていることにより、その中心部が時計バンド３２の先端部３７における取付突起部１７の中心部と一致して設けられていると共に、一対の突起部３４ｂ、３５ｂが互いに左右対称で同じ形状であることにより、左右対称のほぼ逆台形に形成されている。これにより、この係合突出部３８も、逆台形状の両側辺部が一対の突起部３４ｂ、３５ｂの内側部に係止されることにより、時計バンド３２の長手方向への抜け出しを阻止するように構成されている。
【００６７】
さらに、時計バンド３１、３２の各先端部３７、つまり各取付突起部１７の上面には、実施形態１と同様、バンド取付部３３の内側上面に設けられた嵌合凹部２１に嵌合する嵌合凸部２３が設けられている。この嵌合凸部２３は、ばね棒１９が挿入する挿入孔１８に沿って設けられ、時計バンド３１、３２の各先端部３７に設けられた各係合突出部３８を各バンド取付部３３の端部両側に対応する一対の突起部３４ａ、３５ａ間および３４ｂ、３５ｂ間に係合させるときに、実施形態１と同様、各バンド取付部３３の嵌合凹部２１に嵌合するように構成されている。
【００６８】
このような腕時計においても、実施形態１と同様の作用効果があるほか、特に腕時計ケース３０が円形状に形成され、これに伴って１２時側と６時側の各バンド取付部３３が、両者とも左右対称で同じ形状に形成されているので、各バンド取付部３３の端部両側に対応する各一対の突起部３４ａ、３５ａおよび３４ｂ、３５ｂも左右対称で同じ形状に形成されると共に、各バンド取付部３３に取り付けられる時計バンド３１、３２の各先端部３７も、左右対称で同じ形状に形成され、これにより時計バンド３１、３２の各先端部３７に設けられた取付突起部１７、係合突出部３８、嵌合凸部２３も全て左右対称で同じ形状になる。このため、腕時計ケース３０、一対の突起部材３４、３５、時計バンド３１、３２の各先端部３７を容易に成形することができ、これにより低価格で生産性の高いものを得ることができる。
【００６９】
なお、上記実施形態２では、両側のバンド取付部３３の各端部両側にそれぞれ対応する各突起部３４ａ、３４ｂ、３５ａ、３５ｂを、両側のバンド取付部３３同士ごとに連結部１２、１３でそれぞれ連結して、２つの突起部材３４、３５として構成した場合について述べたが、これに限らず、例えば図１１に示した変形例のように、全ての突起部３４ａ、３４ｂ、３５ａ、３５ｂを連結部２５で一体に連結した構成でも良い。
【００７０】
また、上記実施形態１、２では、両側のバンド取付部８または３３の各端部両側にそれぞれ対応する各突起部１０ａ、１０ｂ、１１ａ、１１ｂ、または３４ａ、３４ｂ、３５ａ、３５ｂを、腕時計ケース１と別に形成した場合について述べたが、これに限らず、腕時計ケース１または３０と一体に形成しても良い。この場合には、各突起部１０ａ、１０ｂ、１１ａ、１１ｂ、または３４ａ、３４ｂ、３５ａ、３５ｂを腕時計ケース１または３０と同じ材料で一体に形成しても良いが、腕時計ケース１または３０よりも軟らかい材料、例えば腕時計ケース１または３０がＡＢＳ樹脂の場合、それよりも軟らかいウレタン樹脂で、インサート成形または２色成形によって一体に形成することが望ましい。
【００７１】
また、上記実施形態１、２では、時計バンド２、３または３１、３２における取付突起部１７、嵌合凸部２３、および係合突出部２２、３８を含む先端部１６、３７のみを、バンド本体部１５、３６よりも硬いウレタン樹脂で形成した場合について述べたが、これに限らず、例えば図１７（ａ）に示す第１変形例のように、装飾部１５ａを含むバンド本体部１５、３６の先端側の部分の全てをバンド本体部１５、３６よりも硬いウレタン樹脂で形成してバンド本体部１５、３６との連結強度を高めた構成でも良く、また図１７（ｂ）に示す第２変形例のように、先端部４０に食い込み用の突起部４１を設け、この突起部４１をバンド本体部１５、３６の先端面に食い込ませてバンド本体部１５、３６との連結強度を高めた構成でも良い。
【００７２】
（実施形態３）
次に、図１８〜図２０を参照して、この発明を腕時計に適用した実施形態３について説明する。この場合にも、図１〜図１０に示された実施形態１と同一部分に同一符号を付して説明する。
この腕時計は、ばね棒１９を用いずに、腕時計ケース５０に時計バンド５１をビス１４によって取り付けた構成であり、これ以外は実施形態１とほぼ同じ構成になっている。
【００７３】
すなわち、腕時計ケース５０は、実施形態１と同様、硬質の合成樹脂、例えばＡＢＳ樹脂からなり、その上面部に時計ガラス４が取り付けられ、内部に時計モジュール５が収納され、下部に金属製の裏蓋６が防水パッキン６ａを介して取り付けられるように構成されている。この場合にも、腕時計ケース５０は、実施形態１と同様、９時側（９Ｈ）がほぼ円弧状に突出する横長のほぼ半楕円長方形状に形成されている。また、この腕時計ケース５０の３時側（３Ｈ）と９時側（９Ｈ）との各側面部、および１２時側（１２Ｈ）と６時側（６Ｈ）との各上面部には、それぞれ押釦スイッチ７が設けられており、この腕時計ケース５０の１２時側と６時側との各側部には、それぞれバンド取付部８が３時側に偏って設けられている。
【００７４】
一方、時計バンド５１は、腕時計ケース５０の１２時側と６時側との各バンド取付部８に取り付けられるものであり、両者ともほぼ同じ構成であるから、この実施形態３では１２側のバンド取付部８に取り付けられる時計バンド５１について説明する。この時計バンド５１も、実施形態１と同様、バンド本体部５２と、腕時計ケース５０のバンド取付部８に取り付けられるバンド本体部５２の先端部５３とが異なる材質で形成されている。すなわち、バンド本体部５２は軟質のウレタン樹脂からなり、このバンド本体部５２の先端部５３はバンド本体部５２よりも硬いウレタン樹脂からなり、この両者がインサート成形または２色成形によって一体に形成されている。
【００７５】
このバンド本体部５２の先端部５３には、図１８〜図２０に示すように、腕時計ケース５０の下面に配置された裏蓋６の下面における外周縁に延びる延出部５４が一体に形成されている。この延出部５４は、裏蓋６を挟んで腕時計ケース５０にビス１４によってねじ止めされることにより、時計バンド５１を腕時計ケース５０のバンド取付部８に取り付けるように構成されている。この場合、延出部５４における３時側と６時側との両側には、図１８〜図２０に示すように、腕に当接する一対の突起部５５が裏蓋６の下側に向けて山形状に突出した状態で、所定間隔離れて一体に形成されている。
【００７６】
この一対の突起部５５には、図１９および図２０に示すように、ビス１４が挿入するビス挿入孔５６がそれぞれ裏蓋６のビス挿入孔６ｂと腕時計ケース５０のねじ穴５０ａとに対応して設けられている。また、この一対の突起部５５には、ビス１４の頭部１４ａが挿入する座ぐり部５７がビス挿入孔５６に対応してそれぞれ設けられている。なお、腕時計ケース５０の６時側のバンド取付部８に取り付けられる６時側の時計バンド（図示せず）も、１２時側の時計バンド５１と同様に構成されている。
【００７７】
このような時計バンド５１を腕時計ケース５０のバンド取付部８に取り付ける場合には、時計ガラス４が取り付けられた腕時計ケース５０を上下反転させて、腕時計ケース５０内に時計モジュール５を配置する共に、腕時計ケース５０の裏面（この状態では裏面が上側に位置する）に裏蓋６を配置し、この状態で腕時計ケース５０のバンド取付部８に、時計バンド５１におけるバンド本体部５２の先端部５３を配置する。
【００７８】
このときには、バンド本体部５２の先端部５３に形成された延出部５４を裏蓋６の裏面（この状態では裏面が上側に位置する）における外周縁に配置し、この延出部５４の両側に設けられた一対の突起部５５のビス挿入孔５６を裏蓋６のビス挿入孔６ｂと腕時計ケース５０のねじ穴５０ａとに対応させる。この状態で、ビス１４を時計バンド５１の延出部５４の両側に設けられた一対の突起部５５のビス挿入孔５６に挿入し、この挿入したビス１４の先端部を裏蓋６のビス挿入孔６ｂを通して腕時計ケース５０のねじ穴５０ａに螺着させる。これにより、時計バンド５１が腕時計ケース５０のバンド取付部８に取り付けられる。
【００７９】
このように、この腕時計によれば、腕時計ケース５０のバンド取付部８に配置される時計バンド５１の先端部５３に、腕時計ケース５０の裏面に配置された裏蓋６の裏面における外周縁に延びる延出部５４を設け、この延出部５４を腕時計ケース５０に裏蓋６を挟んでビス１４によって取り付けているので、実施形態１または２のようなばね棒１９を用いずに、時計バンド５１を腕時計ケース５０のバンド取付部８に裏蓋６と共に確実に取り付けることができる。このため、時計バンド５１および裏蓋６を腕時計ケース５０に取り付ける取付作業の簡素化を図ることができると共に、時計バンド５１に上下方向およびねじれ方向のほか、時計バンド５１の長手方向に沿って引き抜く方向に外力が加わっても、その外力をビス１４によって確実に受け止めることができ、これにより時計バンド５１の取付強度を十分に確保することができる。
【００８０】
この場合、延出部５４の両側には、裏蓋６の裏側に向けて突出すると共にビス１４が挿入するビス挿入孔５６が設けられた一対の突起部５５が、所定間隔離れて設けられていることにより、この一対の突起部５５によってビス１４による時計バンド５１の延出部５４における取付強度を高めることができると共に、実施形態１と同様、腕時計ケース５０を時計バンド５１によって腕に取り付けたときに、時計バンド５１の先端部５３における延出部５４の両側に設けられた一対の突起部５５が腕に当接するので、腕時計ケース５０の裏面と腕の表面との間に、時計バンド５１の長手方向と直交する方向に沿って腕時計ケース５０の一端部から他端部に連続する隙間を設けることができ、この隙間によって腕時計ケース５０の裏面と腕の表面との間の通気性を確保することができる。
【００８１】
また、時計バンド５１の一対の突起部５５には、ビス１４の頭部１４ａが挿入する座ぐり部５７が、ビス挿入孔５６に対応してそれぞれ設けられていることにより、時計バンド５１の延出部５４を腕時計ケース５０にビス１４によって取り付けても、このビス１４の頭部１４ａが突起部５５の座ぐり部５７内に挿入するので、ビス１４材の頭部１４ａが突起部５５から突出するのを防ぐことができ、これにより腕時計ケース５０を時計バンド５１によって腕に取り付けたときに、ビス１４の頭部１４ａが腕に接触することがないので、フィット性が良く、違和感なく良好に腕時計ケース５０を腕に取り付けることができる。
【００８２】
この場合、時計バンド５１はウレタン樹脂などの軟質の合成樹脂で形成されていることにより、腕時計ケース５０を時計バンド５１によって腕に取り付けたときに、腕に対する時計バンド５１のフィット性が良いばかりか、時計バンド５１の延出部５４に設けられた一対の突起部５５を腕時計ケース５０にビス１４によって取り付けるので、時計バンド５１を軟質の合成樹脂で形成しても、延出部５４に設けられた一対の突起部５５によって時計バンド５１の取付強度を十分に確保することができる。
【００８３】
なお、上記実施形態１〜３およびその各変形例では、腕装着装置として、腕時計に適用した場合について述べたが、必ずしも腕時計である必要はなく、血圧測定機能や血糖値測定機能などの時計機能以外の機能を備えて腕に装着して使用するものに広く適用することができる。
【図面の簡単な説明】
【００８４】
【図１】この発明を適用した腕時計の正面図である。（実施形態１）
【図２】図１の腕時計の裏面図である。
【図３】図２の要部を分解した裏面図である。
【図４】図１の腕時計を裏面側から見た要部の斜視図である。
【図５】図１のＡ−Ａ矢視における要部の拡大断面図である。
【図６】図２のＢ−Ｂ矢視における要部の拡大断面図である。
【図７】図２のＣ−Ｃ矢視における要部の拡大断面図である。
【図８】図５の時計バンドの要部を示した側面図である。
【図９】図２におけるバンド取付部と時計バンドの先端部とを分解して示した裏面図である。
【図１０】図９の時計バンドの先端部を示した正面図である。
【図１１】実施形態１における突起部を全て連結した場合の変形例を示した裏面図である。
【図１２】この発明を適用した腕時計の正面図である。（実施形態２）
【図１３】図１２の腕時計の裏面図である。
【図１４】図１３の要部を分解した裏面図である。
【図１５】図１４の時計バンドの要部を示した正面図である。
【図１６】図１４の時計バンドの要部を示した側面図である。
【図１７】時計バンドにおける先端部の各変形例を示し、（ａ）はその第１変形例を示した要部の断面図、（ｂ）はその第２変形例を示した要部の断面図である。
【図１８】この発明を適用した腕時計を裏面側から見た要部の斜視図である。（実施形態３）
【図１９】図１８のＤ−Ｄ矢視における要部の拡大断面図である。
【図２０】図１８のＥ−Ｅ矢視における要部の拡大断面図である。
【符号の説明】
【００８５】
１、３０、５０  腕時計ケース
２、３、３１、３２、５１  時計バンド
６  裏蓋
８、３３  バンド取付部
１０、１１、３４、３５  突起部材
１０ａ、１１ａ、３４ａ、３５ａ、１０ｂ、１１ｂ、３４ｂ、３５ｂ  突起部
１２、１３、２５  連結部
１４  ビス
１５、３６、５２  バンド本体部
１６、３７、５３  バンド本体部の先端部
１７  取付突起部
１８  挿入孔
１９  ばね棒
２０  取付穴
２１  嵌合凹部
２２、３８  係合突出部
２３  嵌合凸部
５４  延出部
５５  突起部
５６  ビス挿入孔
５７  座ぐり部
【図１】
2007090046.tif 000003
【図２】
2007090046.tif 000004
【図３】
2007090046.tif 000005
【図４】
2007090046.tif 000006
【図５】
2007090046.tif 000007
【図６】
2007090046.tif 000008
【図７】
2007090046.tif 000009
【図８】
2007090046.tif 000010
【図９】
2007090046.tif 000011
【図１０】
2007090046.tif 000012
【図１１】
2007090046.tif 000013
【図１２】
2007090046.tif 000014
【図１３】
2007090046.tif 000015
【図１４】
2007090046.tif 000016
【図１５】
2007090046.tif 000017
【図１６】
2007090046.tif 000018
【図１７】
2007090046.tif 000019
【図１８】
2007090046.tif 000020
【図１９】
2007090046.tif 000021
【図２０】
2007090046.tif 000022